(57)【要約】【課題】足首部に巻回して脱げ防止を図るネックバンドを使用するサンダル本来の履き方と、甲バンドだけを使用して後部開放型で突っ掛け式にミュール形態で脱着が簡単にできる履き方に使い分けができるサンダルを提供する。【解決手段】サンダル台１の爪先部両側に、足の爪先部を挿入する甲バンド２を取り付け、サンダル台１の踵部両側に、足首部に巻回して脱げ防止を図るネックバンド３の基端部５を着脱自在に止着した。【選択図】図１
0003106870.tif 000002
【実用新案登録請求の範囲】
【請求項１】
サンダル台の爪先部両側に、足の爪先部を挿入する甲バンドを取り付け、サンダル台の踵部両側に、足首部に巻回して脱げ防止を図るネックバンドを着脱自在に止着したことを特徴とするサンダル。
【請求項２】
サンダル台の踵部両側面に環状部材を設け、該環状部材にネックバンドの基端部を挿通して折り返し、該折り返し部を留め具を介して着脱自在に重合止着した特徴とする請求項１記載のサンダル。
【請求項３】
ネックバンドが、基端部がサンダル台に着脱自在に止着され、足首後部に掛けられる後部バンド部と、後部バンド部から延設され、遊端部に装着した美錠により長さを調整可能にして足首前部に掛けられる前部バンド部からなることを特徴とする請求項１記載のサンダル。
【考案の詳細な説明】
【技術分野】
【０００１】
本考案はサンダルに関するものであり、さらに詳しくは、足首部に巻回して脱げ防止を図るネックバンド付きのサンダルとして、サンダル本来の履き方と、ネックバンドのない後部開放型で突っ掛け式に脱着が簡単にできるミュール形態の履き方に使い分けができるサンダルに関するものである。
【背景技術】
【０００２】
従来より、サンダルの一般的な構成として、サンダル台の爪先部両側に、足の爪先部を挿入する甲バンドを取り付け、サンダル台の踵部両側に、足首部に巻回して脱げ防止を図るネックバンドを取り付けたサンダルが広く実用されている。
【０００３】
前記するように、ネックバンド付きの一般的なサンダルでは、サンダルを履いたり脱いだりする度に、履用者の手によって足首部に対するネックバンドの脱着が求められる。この煩わしさを解消するために、サンダル台の爪先部両側に甲バンドを取り付けたサンダルにおいて、使用状態における踝（くるぶし）の前寄り位置でサンダル台両側に、二本の甲紐を纏めて掛け渡し、該甲紐の両端に環を摺動可能に被嵌した構成のサンダルが提案されている。（特許文献１参照）。
【０００４】
このサンダルは、サンダル本来の履き方、つまり、サンダルをタイトに履くときは、二本の甲紐の内、一本を踵の後ろに掛け、他の一本を足の甲側に掛けるようにし、サンダルをラフに履くときは、二本の甲紐を纏めて足の甲側に掛けるようにして二通りの履き方ができるとされている。
【考案の開示】
【考案が解決しようとする課題】
【０００５】
しかしながら、前記するように、二本の甲紐が踝の前寄り位置でサンダル台両側に掛け渡してあるサンダルの場合、サンダルをタイトに履くときには、二本の甲紐を介してサンダルの脱げ防止のために、サンダルを引き上げる力が、二本の甲紐が掛けられる踵後部と足首寄りの甲部に集中的に掛けられて長時間の履用でサンダルの履き心地を悪くする。
【０００６】
他方、サンダルをラフに履くときは、二本の甲紐は纏めて足首寄りの甲部に掛けてられるので、甲紐は比較的長いものとなる。そこで、突っ掛け式にサンダルをラフに履くときに、先に、爪先を二本の甲紐に挿入して爪先を甲バンド部まで移動させる間に、甲紐が足の甲部の途中に引っ掛かって爪先を先に進めなくするようなことが起きるおそれがある。こうなると、履用者は二本の甲紐を手で持って足首寄りの正規の位置への掛け直しが必要となり、サンダルを後部開放型で突っ掛け式に履くにしても、気軽には履けなるなる。
【０００７】
そこで、本考案に係るサンダルは、足首部に巻回して脱げ防止を図るネックバンドを使用するサンダル本来の履き方と、甲バンドだけを使用して後部開放型で突っ掛け式にミュール形態で脱着が簡単にできる履き方に使い分けができるサンダルを提供することを目的としたものである。
【課題を解決するための手段】
【０００８】
前記の目的を達成するための本考案に係るサンダルは、  サンダル台の爪先部両側に、足の爪先部を挿入する甲バンドを取り付け、サンダル台の踵部両側に、足首部に巻回して脱げ防止を図るネックバンドを着脱自在に止着したことを特徴とする。
【０００９】
前記構成からなる本考案に係るサンダルによれば、ネックバンドを止着して履くときは、市販製品のネックバンドを使用するサンダルと同様に取り扱われ、履用者自身でネックバンドの長さを調整してこれを足首に巻回してサンダルを履けば、長時間の履用でも、ネックバンドで足首が締め付けられて不快な思いをしたり、履き心地を悪化くしてするようなことがなく、サンダル本来の履き方ができる。
【００１０】
また、ネックバンドを外し、甲バンドだけを使用して後部開放型で突っ掛け式にミュール形態で履くときは、甲バンドだけに爪先を挿入して突っ掛け式に脱着が簡単にできるので、気軽に履くことができて便利なものである。
【００１１】
前記構成において、  サンダル台の踵部両側面に環状部材を設け、該環状部材にネックバンドの基端部を挿通して折り返し、該折り返し部を留め具を介して着脱自在に重合止着した構成にすると、サンダル台に対するネックバンドの着脱は、特別な操作を必要とせず簡単に確実にできる。
【００１２】
前記構成において、ネックバンドが、基端部がサンダル台に着脱自在に止着され、足首後部に掛けられる後部バンド部と、後部バンド部から延設され、遊端部に装着した美錠により長さを調整可能にして足首前部に掛けられる前部バンド部からなる構成にすると、ネックバンドを足首に留めたり離脱させたりする基本構成は公知のものと同じであり、汎用製品のネックバンドの基端部に僅かな改良を加えて実施することができるので、価格的にも安価に提供できる。
【考案の効果】
【００１３】
以上述べたように、本考案に係るサンダルによれば、サンダル台にネックバンドを止着して履かれるときは、一般的なサンダル同様に、ネックバンドを使用して脱げ防止機能を発揮する履き方ができ、また、ネックバンドを外して履かれるときは、履用者の手を煩わすことがなく、甲バンドだけに爪先を挿入して突っ掛け式に脱着が簡単にできるミュール形態での履き方ができるので、気軽に履くことができて便利なものである。
【考案を実施するための最良の形態】
【００１４】
以下、図面を参照しながら、本考案の実施例に係るサンダルについて具体的に説明する。
【実施例１】
【００１５】
図１はネックバンドを装着した状態を示すサンダルの斜視図、図２はネックバンドを外した状態を示すサンダルの斜視図である。
【００１６】
本考案に係るサンダルは、サンダル台１と甲バンド２とネックバンド３とからなる。
【００１７】
サンダル台１は従来のサンダルと同様のもので、本底、中底、ヒール等からなる。
【００１８】
サンダル台１の爪先部両側に、足の爪先部を挿入する甲バンド２が取り付けらている。一方、サンダル台１の踵部両側には、足首に巻回して脱げ防止を図るネックバンド３を着脱自在に止着している。
【００１９】
前記甲バンド２とネックバンド３はともに、ビニ−ル、合成皮革、生地等からなり、任意の形状としたもので、甲バンド２は、常法によりサンダル台１上に掛け渡して両端をサンダル台１に固定している。
【００２０】
なお、実施例１のサンダルでは、甲バンド２の一部に美錠４付きの長さ調整ベルト２ａを組み付け、甲バンド２の履き口部の大きさをある程度、変更可能にしている。
【００２１】
前記サンダル台１の踵部両側に基端部５が着脱自在に取り付けられたネックバンド３は、後方向けに湾曲状に延びて足首の後部に掛けられる後側バンド部３ａと、この後側バンド部３ａの片方の前側中間部から前向きに延設され、足首の前部に掛けられる前側バンド部からなり、後側バンド部３ａの基端部５が、ネックバンド３の基端部５をなし、前側バンド部３ｂの遊端部が、ネックバンド３の遊端部６をなしている。
【００２２】
そして、ネックバンド３の基端部５（後側バンド部３ａの基端部５）をサンダル台１に対して着脱自在に止着するために、サンダル台１の踵部両側面に環状部材７を設け、この環状部材７にネックバンド３の基端部５に形成した折返し部５ａを挿通して折り返し、この折返し部５ａを留め具８を介して着脱自在に重合止着している。
【００２３】
なお、留め具８には、構造的な限定はなく、市販の留め具８が使用される。実施例１では、折返し部５ａに対応してネックバンド３の基端部５に有頭形状のピンを植設し、折返し部５ａを環状部材７に挿通して折り返した後、この折返し部５ａに設けた切れ目９に、ピン先の有頭部を押し込んで係止させて折返し部５ａを着脱自在に重合止着するようにしている。
【００２４】
ネックバンド３の遊端部６には、例えば、ピン１１の付いた美錠１０が装着され、予め、ピン１１により足首を留めるバンド長さを調整し、所定長さに調整したバンド部の遊端部６を、美錠１０裏面に設けた凹状部材（図示せず）を、対応するバンド外面に設けた凸状部材（図示せず）に着脱自在に嵌合させて、ネックバンド３を足首に留めたり離脱したりするようにしている。なお、後側ベルト部３ａと前側ベルト部３ｂからなるネックバンド３の基本的構成は公知のものである。
【００２５】
前記構成からなる本考案に係るサンダルは、ネックバンド３の基端部５をサンダル台１に設けた環状部材７に挿通して折り返し、この折返し部５ａを留め具８で重合止着した状態では、ネックバンド３付きのサンダルとして一般的なサンダル同様に、ネックバンドを使用して脱げ防止機能を発揮する履き方ができる。
【００２６】
また、ネックバンド３の基端部５の留め具８を外し、環状部材７からネックバンド３の基端部５を抜き取り、サンダル台１からネックバンド３を外した状態では、甲バンド２だけに爪先を挿入して突っ掛け式に脱着が簡単にできるミュール形態での履き方ができて便利なものである。
【産業上の利用可能性】
【００２７】
本考案に係るサンダルは、足首部に巻回して脱げ防止を図るネックバンドを、履用者自身で簡単にサンダル台に着脱することができて、サンダル本来の履き方と、後部開放型で突っ掛け式にミュール形態で脱着が簡単にできる履き方に使い分けがきてるので、その取り扱いの容易性と便利さとが相まって多くのサンダルに適用して有用なものである。
【図面の簡単な説明】
【００２８】
【図１】ネックバンドを装着した状態を示すサンダルの斜視図である。
【図２】ネックバンドを外した状態を示すサンダルの斜視図である。
【符号の説明】
【００２９】
１  サンダル台
２  甲バンド
２ａ  調整ベルト
３  ネックバンド
３ａ  後側バンド部
３ｂ  前側バンド部
４  美錠
５  ネックバンドの基端部
５ａ  折返し部
６  ネックバンドの遊端部
７  環状部材
８  留め具（ピン）
９  切れ目
１１  ピン
１０  美錠
【図１】
0003106870.tif 000003
【図２】
0003106870.tif 000004